(57)【特許請求の範囲】
【請求項１】
（ａ）少なくとも一部が外耳道に挿入可能な外耳道挿入部材と、
（ｂ）該外耳道挿入部材が着脱可能な筐体と、
（ｃ）該筐体内に配設された音を発生するドライバユニットとを有するイヤホンであって、
（ｄ）前記ドライバユニットは、前記筐体内に取付けられる硬質の保持部材であって内方に向けて突出する複数のユニット支持凸部を備える保持部材によって、該保持部材の内部空間内に保持され、前記ドライバユニットの外面は、前記ユニット支持凸部の先端に当接し、前記保持部材の内面から離間することを特徴とするイヤホン。
【請求項２】
前記保持部材の内部空間は、前記ドライバユニットの側面の外側の側方空間及び前記ドライバユニットの後面の後方の後方空間を含み、前記側方空間と後方空間とが連通している請求項１に記載のイヤホン。
【請求項３】
前記保持部材の前面及び／又は後面に隔壁が配設されている請求項１又は２に記載のイヤホン。
【発明の詳細な説明】
【技術分野】
【０００１】
本発明は、少なくとも一部が外耳道に挿入される外耳道挿入部材を有するイヤホンに関するものである。
【背景技術】
【０００２】
従来、耳介に装着されて使用されるイヤホンとして、外耳道に挿入される突起部を備えていない、いわゆるイヤホン型ヘッドホンと呼ばれるタイプのものや、弾性を備える軟質のゴム等から成るイヤーパッドを外耳道に挿入する、いわゆる挿入型イヤホンと呼ばれるタイプのものが知られている（例えば、特許文献１参照。）。
【０００３】
図１２は従来のイヤホンの構造を示す分解図である。
【０００４】
図において、８１１はイヤホンのハウジングであり、該ハウジング８１１の内部には振動板等を備えるドライバユニット８４１が装着されている。また、前記ハウジング８１１の先端（図における右下端）には、右下方へ向けて延出する音導管８１７の基端が一体的に接続されている。なお、前記音導管８１７内には、ハウジング８１１内の空間に連通する音導孔（こう）が形成されているとともに、内筒部材８１７ａが挿入されている。また、前記音導管８１７の周囲には、軟質のゴム等から成るイヤーパッド８５０が嵌（かん）着されている。そして、イヤホンを装着すると、イヤーパッド８５０の先端部が外耳道に挿入される。これにより、ドライバユニット８４１の振動板の振動によって発生した音が、音導管８１７及びイヤーパッド８５０内の孔（あな）を通して外耳道の内部に入射し、鼓膜に到達する。
【０００５】
また、前記ハウジング８１１の後端（図における左上端）には、蓋（ふた）筐（きょう）体８１４が取付けられ、該蓋筐体８１４とハウジング８１１との間には、下方にダクト状部分が延出するケーブル保持部８１５が配設されている。そして、該ケーブル保持部８１５内には電線ケーブル８９１が収容されている。該電線ケーブル８９１の一端からは、リード線８９２が露出し、その先端がドライバユニット８４１に導電可能に接続されている。また、ケーブル保持部８１５の下端から延出する電線ケーブル８９１の他端は、図示されない音楽プレーヤ、テレビ、ラジオ、ビデオデッキ等の図示されない音響機器に接続される。
【０００６】
なお、前記電線ケーブル８９１が外部から引張られると、ドライバユニット８４１との接続部分が破断し、電線ケーブル８９１がハウジング８１１及びケーブル保持部８１５から抜けてしまう可能性がある。そこで、電線ケーブル８９１の一端付近に結び目８９１ａが形成され、蓋筐体８１４内の空間に収容されている。結び目８９１ａは、ケーブル保持部８１５の内径よりも十分に大きいので、電線ケーブル８９１が外部から引張られた場合、ケーブル保持部８１５の内に引掛かり、ストッパとして機能する。これにより、電線ケーブル８９１の抜けを防止することができる。
【０００７】
さらに、前記ドライバユニット８４１の周囲を包囲するように、略筒状の第１弾性部材８７１が配設されるとともに、前記ドライバユニット８４１の後方には、略直方体状の第２弾性部材８７２が配設されている。前記第１弾性部材８７１及び第２弾性部材８７２は、シリコーンゴム、合成ゴム、エラストマ等の弾力性のある材料から成り、ハウジング８１１の内面とドライバユニット８４１の外面との隙（すき）間を埋めるように配設され、ドライバユニット８４１を前後及び周囲から弾性的に支持して、ドライバユニット８４１の位置決めを行う。
【先行技術文献】
【特許文献】
【０００８】
【特許文献１】特開２００８−１０９２０６号公報
【発明の概要】
【発明が解決しようとする課題】
【０００９】
しかしながら、前記従来のイヤホンにおいては、第１弾性部材８７１及び第２弾性部材８７２がハウジング８１１内においてドライバユニット８４１を支持して位置決めを行うので、第１弾性部材８７１及び第２弾性部材８７２が変形することによってドライバユニット８４１の位置精度が低下してしまう。特に、ハウジング８１１内へのドライバユニット８４１並びに第１弾性部材８７１及び第２弾性部材８７２の取付が手作業によって行われる場合には、第１弾性部材８７１及び第２弾性部材８７２の変形量に大きなばらつきが生じ、ドライバユニット８４１の位置精度が大きく低下してしまう。
【００１０】
また、第１弾性部材８７１及び第２弾性部材８７２がハウジング８１１の内面とドライバユニット８４１の外面との間を埋め、かつ、ドライバユニット８４１の外面に密着するので、ドライバユニット８４１の周囲に空間を維持することができない。ハウジング８１１内の空間は、音響空間としてイヤホンの音響性能に大きな影響を与える部分であるにも係わらず、第１弾性部材８７１及び第２弾性部材８７２によって専有されてしまうので、イヤホンの音響性能が低下してしまう。
【００１１】
本発明は、前記従来のイヤホンの問題点を解決して、筐体内に取付けられる硬質の保持部材によってドライバユニットの外面を保持することにより、簡素な構成でありながら、ドライバユニットを高い位置精度で保持することができ、ドライバユニットの周囲に空間を維持することができ、製造が容易でコストを低減することができるとともに、小型で音質が高いイヤホンを提供することを目的とする。
【課題を解決するための手段】
【００１２】
そのために、本発明のイヤホンにおいては、少なくとも一部が外耳道に挿入可能な外耳道挿入部材と、該外耳道挿入部材が着脱可能な筐体と、該筐体内に配設された音を発生するドライバユニットとを有するイヤホンであって、前記ドライバユニットは、前記筐体内に取付けられる硬質の保持部材であって内方に向けて突出する複数のユニット支持凸部を備える保持部材によって、該保持部材の内部空間内に保持され、前記ドライバユニットの外面は、前記ユニット支持凸部の先端に当接し、前記保持部材の内面から離間する。
【００１４】
本発明の更に他のイヤホンにおいては、さらに、前記保持部材の内部空間は、前記ドライバユニットの側面の外側の側方空間及び前記ドライバユニットの後面の後方の後方空間を含み、前記側方空間と後方空間とが連通している。
【００１５】
本発明の更に他のイヤホンにおいては、さらに、前記保持部材の前面及び／又は後面に隔壁が配設されている。
【発明の効果】
【００１６】
本発明によれば、イヤホンは、筐体内に取付けられる硬質の保持部材によってドライバユニットの外面を保持するようになっている。これにより、簡素な構成でありながら、ドライバユニットを高い位置精度で保持することができ、ドライバユニットの周囲に空間を維持することができ、製造が容易でコストを低減することができるとともに、小型で音質が高いイヤホンを提供することができる。
【図面の簡単な説明】
【００１７】
【図１】本発明の第１の実施の形態におけるイヤホンの斜視図であって、（ａ）は斜め上から観た図、（ｂ）は斜め下から観た図である。
【図２】本発明の第１の実施の形態におけるイヤホンの二面図であって、（ａ）は正面図、（ｂ）は側面図である。
【図３】本発明の第１の実施の形態におけるイヤホンの断面図であって図２におけるＡ−Ａ矢視断面図である。
【図４】本発明の第１の実施の形態におけるユニット保持部の斜視図であって、（ａ）は斜め前上から観た図、（ｂ）は斜め後下から観た図である。
【図５】本発明の第１の実施の形態におけるユニット保持部の二面図であって、（ａ）は正面図、（ｂ）は側断面図であり（ａ）におけるＢ−Ｂ矢視断面図である。
【図６】本発明の第１の実施の形態におけるドライバユニットを取付けたユニット保持部の斜視図であって、（ａ）は斜め前上から観た図、（ｂ）は斜め後下から観た図である。
【図７】本発明の第１の実施の形態におけるドライバユニットを取付けたユニット保持部の二面図であって、（ａ）は正面図、（ｂ）は側断面図であり（ａ）におけるＢ−Ｂ矢視断面図である。
【図８】本発明の第２の実施の形態におけるイヤホンの断面図であって図３に対応する図である。
【図９】本発明の第２の実施の形態におけるドライバユニットを取付けたユニット保持部の第１の断面図であって図７（ｂ）に対応する図であり、（ａ）〜（ｄ）は隔壁の異なる具体例を示す図である。
【図１０】本発明の第２の実施の形態におけるドライバユニットを取付けたユニット保持部の第２の断面図であって図７（ｂ）に対応する図であり、（ａ）〜（ｄ）は隔壁の異なる具体例を示す図である。
【図１１】本発明の第３の実施の形態におけるドライバユニットを取付けたユニット保持部の二面図であって、（ａ）は正面図、（ｂ）は側断面図であり（ａ）におけるＣ−Ｃ矢視断面図である。
【図１２】従来のイヤホンの構造を示す分解図である。
【発明を実施するための形態】
【００１８】
以下、本発明の実施の形態について図面を参照しながら詳細に説明する。
【００１９】
図１は本発明の第１の実施の形態におけるイヤホンの斜視図、図２は本発明の第１の実施の形態におけるイヤホンの二面図、図３は本発明の第１の実施の形態におけるイヤホンの断面図である。なお、図１において、（ａ）は斜め上から観た図、（ｂ）は斜め下から観た図であり、図２において、（ａ）は正面図、（ｂ）は側面図であり、図３は図２におけるＡ−Ａ矢視断面図である。
【００２０】
図において、１０は本実施の形態におけるイヤホンであり、使用者の耳介に装着されて使用され、電気信号である音声信号によって駆動され、音声信号を再生する小型の音声発生器である。そして、前記イヤホン１０は、音声信号を再生して音を発生するスピーカユニットとしてのドライバユニット４１を内蔵するハウジングとしての筐体１１と、該筐体１１に取付けられ、少なくともその先端部が使用者の外耳道に挿入可能な外耳道挿入部材としてのイヤーパッド５０とを有する。
【００２１】
前記筐体１１は、その正面側に位置する主筐体１２と、該主筐体１２の後側に結合される蓋筐体１４とを備える。そして、ドライバユニット４１は、図３に示されるように、主筐体１２の内側に形成された内部空間２１内に保持される。また、主筐体１２の後面は、蓋筐体１４によって塞（ふさ）がれる。
【００２２】
前記ドライバユニット４１は、音声信号を再生して音を発生するものであればいかなる種類のものであってもよいが、ここでは、いわゆるバランスドアーマチュア型であって、略箱形、すなわち、略直方体状の外形を有するものである場合について説明する。この場合、ドライバユニット４１は、略直方体状のユニット本体部４１ａと、該ユニット本体部４１ａの前面（図３における左側面）から突出するユニット突出部４１ｂとを備え、該ユニット突出部４１ｂの前面に形成された放音開口から音を出射する。
【００２３】
なお、前記筐体１１は、例えば、合成樹脂等の樹脂から成るが、アルミニウム、鋼、銅等の金属から成るものであってもよいし、樹脂、カーボン、金属等を複合した複合材から成るものであってもよい。
【００２４】
また、本実施の形態において、イヤホン１０の各部の構成及び動作を説明するために使用される上、下、左、右、前、後等の方向を示す表現は、絶対的なものでなく相対的なものであり、イヤホン１０又はその部品が図に示される姿勢である場合に適切であるが、イヤホン１０又はその部品の姿勢が変化した場合には、姿勢の変化に応じて変更して解釈されるべきものである。
【００２５】
さらに、前記筐体１１には、前記ドライバユニット４１に一端が接続されるケーブルとしての電線ケーブル９１の一部を取囲んで保持する筒状のケーブル保持部１５の上端が取付けられている。前記電線ケーブル９１の上端から露出するリード線９２の先端がはんだ付等の接続手段によって、前記ドライバユニット４１に導電可能に接続されている。なお、前記電線ケーブル９１が外部から引張られると、リード線９２の先端とドライバユニット４１との接続部分が破断し、電線ケーブル９１が筐体１１及びケーブル保持部１５から抜けてしまう可能性がある。そこで、電線ケーブル９１の一端付近に結び目９１ａが形成され、蓋筐体１４内の空間に収容されている。
【００２６】
そして、ケーブル保持部１５の下端からは、電線ケーブル９１が延出する。なお、図においては、図示の都合上、電線ケーブル９１は、ケーブル保持部１５に近接する部分のみが描画され、他の部分は描画が省略されている。そして、電線ケーブル９１の図示されない他端においては、音楽プレーヤ、テレビ、ラジオ、ビデオデッキ等の図示されない音響機器が前記リード線９２の他端に導電可能に接続される。
【００２７】
前記主筐体１２は、前方（図３における左方）に向けて突出する筒状のパッド取付部１７を含んでいる。そして、該パッド取付部１７には、後端が主筐体１２の内部空間２１に連通し、前端が開放された円筒状開口である音導孔としての筐体音導孔２２が形成され、ドライバユニット４１のユニット突出部４１ｂが筐体音導孔２２内に進入している。これにより、ドライバユニット４１が発生した音が、ユニット突出部４１ｂの前面に形成された放音開口から出射され、筐体音導孔２２を通して使用者の外耳道に入射する。
【００２８】
そして、前記パッド取付部１７には、イヤーパッド５０が取付けられている。該イヤーパッド５０は、例えば、シリコーンゴム等の軟質の弾性変形可能な材料から成り、一体成形された部材であり、パッド取付部１７の周囲に嵌着された筒状の本体部５１と、該本体部５１の先端から後端に向けて斜めに広がる弾性変形部としての笠（かさ）部５３とを備える。なお、本体部５１の後端には、内方に向けて突出する肉厚のフランジ状の係合凸部５２が形成されている。該係合凸部５２は、パッド取付部１７の基端部（主筐体１２との接続部）に形成された溝状の係合凹部１７ａと係合し、パッド取付部１７からイヤーパッド５０が外れることを防止する。
【００２９】
該イヤーパッド５０は、全体としてキノコ又は傘のような形状を有し、その先端部において、本体部５１の先端に笠部５３の先端が接続され、本体部５１の外周面と笠部５３の内周面との間には空洞が形成されている。そして、本体部５１の中心には、前後端が開放された円筒状開口である音導孔としてのパッド音導孔６１が形成されている。パッド取付部１７にイヤーパッド５０が取付けられた状態で、パッド音導孔６１は筐体音導孔２２と連通する。
【００３０】
また、笠部５３は、本体部５１よりも肉薄であって柔軟性を備え、力を受けることによって容易に弾性変形するようになっている。したがって、イヤーパッド５０が外耳道に挿入された際、笠部５３は、外耳道の内面形状に適合するように弾性変形し、外耳道に損傷を与えることがなく、外耳道の内面に反力を加えることなく密着するので、装着感、フィット感が良好となる。
【００３１】
本実施の形態において、ドライバユニット４１は、図３に示されるように、筐体１１に取付けられる保持部材としての略円筒状のユニット保持部３１を介して、筐体１１に取付けられている。前記ユニット保持部３１は、硬質の材料から成る一体的に形成された部材であって、その外面が主筐体１２の内面によって保持されることによって主筐体１２に取付けられるとともに、その内部空間である保持部内空間２５内にドライバユニット４１を収容して保持する。例えば、ドライバユニット４１は、ユニット保持部３１内に圧入されて取付けられ、該ユニット保持部３１は、主筐体１２内に圧入されて取付けられる。なお、前記ユニット保持部３１の材料は、硬質のものであればいかなる種類のものであってもよく、例えば、アルミニウム、鋼、銅等の金属であってもよいし、プラスチック等の樹脂から成るものであってもよいし、樹脂、カーボン、金属等を複合した複合材から成るものであってもよい。
【００３２】
なお、前記ユニット保持部３１には、その側壁の一部を厚さ方向に貫通する貫通孔としてのコード通過孔３２が形成されている。そして、リード線９２は、電線ケーブル９１の上端から前記コード通過孔３２を通るように配線され、その先端がユニット保持部３１内収容されたドライバユニット４１に接続される。これにより、リード線９２が内部空間２１及び保持部内空間２５内においてぶら下がった状態で変位することが防止され、内部空間２１及び保持部内空間２５の音響空間としての機能がリード線９２によって損なわれることがない。
【００３３】
そして、前記ユニット保持部３１の形状は、断面が完全な円形の円筒状であるよりは、断面の円弧の一部が直線であって対応する側壁の一部が平板であるような形状であることが望ましい。それにより、平板である側壁の一部と筐体１１の内面との間に保持部外空間２３が形成され、該保持部外空間２３内の一部に、リード線９２を配線することが可能となる。これにより、リード線９２の変位がより確実に防止され、内部空間２１及び保持部内空間２５の音響空間としての機能がリード線９２によって損なわれることが、より確実に防止される。
【００３４】
また、前記ユニット保持部３１の内面には、内方に向けて突出するような形状のユニット支持凸部として内部リブ３３が複数形成されている。そして、ユニット保持部３１の保持部内空間２５内に収容されたドライバユニット４１のユニット本体部４１ａは、前記内部リブ３３によって保持される。具体的には、該内部リブ３３の先端がユニット本体部４１ａの外面に当接した状態となり、ユニット保持部３１の内面とドライバユニット４１の外面とは離間した状態となる。これにより、略円筒状のユニット保持部３１の保持部内空間２５内に、略直方体状の外形を有するユニット本体部４１ａを強固に変位不能に保持することができる。また、保持部内空間２５内におけるユニット保持部３１の内側面とユニット本体部４１ａの外側面との間、すなわち、ドライバユニット４１の側面の外側に、側方空間２５ａが形成される。さらに、前記内部リブ３３を配設することによってドライバユニット４１とユニット保持部３１との共振（共鳴）を調整することができる。
【００３５】
なお、ユニット保持部３１の長さ（図３における左右方向の寸法）は、ドライバユニット４１のユニット本体部４１ａの長さよりも長いことが好ましい。これにより、保持部内空間２５内におけるユニット本体部４１ａの後方、すなわち、ドライバユニット４１の後面の後方に、後方空間２５ｂが形成される。
【００３６】
このように、本実施の形態において、ドライバユニット４１は、筐体１１内に取付けられる硬質のユニット保持部３１によってその外面を保持されることにより、高い位置精度で保持され、筐体１１内において変位することがない。また、ドライバユニット４１の形状が筐体１１の形状と相違するものであっても、確実に筐体１１内に保持される。さらに、ドライバユニット４１のユニット本体部４１ａの外面とユニット保持部３１の内面との間に空間としての側方空間２５ａ及び後方空間２５ｂを維持することができる。そして、前記側方空間２５ａ及び後方空間２５ｂは、常に一定の大きさ及び形状に維持されるので、音響空間としての機能が一定となり、その結果、イヤホン１０の音質も上質かつ一定のものとなる。また、ドライバユニット４１及びユニット保持部３１は、接着剤等を使用することなく、圧入によって取付けられるので、イヤホン１０の組立性が向上し、製造時間及び製造コストを低減することができる。さらに、接着剤等を使用することなく、圧入によって取付けられるので、ドライバユニット４１等の交換も可能となり、音質の低下も防止することができる。
【００３７】
次に、前記ドライバユニット４１のユニット保持部３１への取付状態について詳細に説明する。
【００３８】
図４は本発明の第１の実施の形態におけるユニット保持部の斜視図、図５は本発明の第１の実施の形態におけるユニット保持部の二面図、図６は本発明の第１の実施の形態におけるドライバユニットを取付けたユニット保持部の斜視図、図７は本発明の第１の実施の形態におけるドライバユニットを取付けたユニット保持部の二面図である。なお、図４及び６において、（ａ）は斜め前上から観た図、（ｂ）は斜め後下から観た図であり、図５及び７において、（ａ）は正面図、（ｂ）は側断面図であり（ａ）におけるＢ−Ｂ矢視断面図である。
【００３９】
図４〜７に示される例において、内部リブ３３はほぼ等間隔に４つ形成されているが、内部リブ３３の数及び配置は、適宜変更することができる。もっとも、内部リブ３３によって保持されるユニット本体部４１ａの断面形状が、図７（ａ）に示されるように、四角形である場合には、内部リブ３３はほぼ等間隔に４つ形成されていることが望ましい。
【００４０】
また、図４〜７に示される例において、内部リブ３３は、ユニット保持部３１の前端から所定の距離の範囲にのみ延在し、その長さ（図５（ｂ）及び７（ｂ）における左右方向の寸法）は、ユニット保持部３１の長さよりも短く、さらに、ユニット本体部４１ａの長さよりも短くなっているが、ユニット本体部４１ａの長さと同程度の長さとしてもよいし、ユニット保持部３１の長さと同程度の長さとしてもよい。すなわち、内部リブ３３の長さは適宜変更することができる。
【００４１】
もっとも、図４〜７に示されるように、ユニット保持部３１の前端から所定の距離の範囲にのみ延在するように内部リブ３３を形成することによって、ドライバユニット４１とユニット保持部３１との共振（共鳴）を調整することができる。さらに、ドライバユニット４１をユニット保持部３１内に圧入する際の抵抗が減少するので、イヤホン１０の組立性が向上する。
【００４２】
また、図４〜７に示される例において、ユニット保持部３１の外面には、外方に向けて突出するような形状の保持部支持凸部として外部リブ３４が複数（図に示される例においては４つ）形成されている。そして、主筐体１２内に収容されたユニット保持部３１は、前記外部リブ３４によって保持される。具体的には、該外部リブ３４の先端が主筐体１２の内面に当接した状態となる。前記外部リブ３４を配設することによって主筐体１２とユニット保持部３１との共振（共鳴）を調整することができる。なお、外部リブ３４の数及び配置は、適宜変更することができる。また、不要であれば、外部リブ３４を省略することもできる。
【００４３】
さらに、図４〜７に示される例において、ユニット保持部３１の側壁の一部は平板となっている。図において、３１ａは平板となっている側壁の部分、すなわち、平板部を示している。そして、該平板部３１ａにコード通過孔３２が形成されている。
【００４４】
図６及び７に示されるように、ユニット本体部４１ａの４つの側面とユニット保持部３１の側壁との間には、側方空間２５ａが形成されている。また、保持部内空間２５内におけるユニット本体部４１ａの後方に後方空間２５ｂが形成されている。そして、側方空間２５ａと後方空間２５ｂとが連続し、かつ、常に一定の大きさ及び形状に維持されるので、音響空間として優れた機能を発揮することができる。特に、図４〜７に示されるように、内部リブ３３がユニット保持部３１の前端から所定の距離の範囲にのみ延在する場合には、側方空間２５ａと後方空間２５ｂとの繋（つな）がりがスムーズなので、より優れた音響空間としての機能を発揮する。
【００４５】
このように、本実施の形態におけるイヤホン１０は、イヤーパッド５０と、イヤーパッド５０が取付けられる筐体１１と、筐体１１内に配設された音を発生するドライバユニット４１とを有し、ドライバユニット４１は、筐体１１内に取付けられる硬質のユニット保持部３１によってその外面を保持される。
【００４６】
これにより、簡素な構成でありながら、ドライバユニット４１を、高い位置精度で変位不能に筐体１１内に保持することができる。また、ドライバユニット４１の形状が筐体１１の形状と相違するものであっても、確実に筐体１１内に保持することができる。さらに、ドライバユニット４１の外面とユニット保持部３１の内面との間に空間を維持することができる。そして、該空間が音響空間としての機能を存分に発揮し、かつ、その音響空間としての機能が一定となるので、その結果、イヤホン１０を小型化しても、高い音質を得ることができる。
【００４７】
また、ドライバユニット４１及びユニット保持部３１を圧入によって取付けるので、イヤホン１０の組立性が向上し、製造時間及び製造コストを低減することができる。
【００４８】
さらに、リード線９２が、電線ケーブル９１の上端から保持部外空間２３内の一部及びコード通過孔３２を通るように配線されるので、リード線９２がぶら下がった状態で変位することがなく、リード線９２とドライバユニット４１との接続箇所の破断を防止することができる。
【００４９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５０】
図８は本発明の第２の実施の形態におけるイヤホンの断面図であって図３に対応する図、図９は本発明の第２の実施の形態におけるドライバユニットを取付けたユニット保持部の第１の断面図であって図７（ｂ）に対応する図、図１０は本発明の第２の実施の形態におけるドライバユニットを取付けたユニット保持部の第２の断面図であって図７（ｂ）に対応する図である。なお、図９及び１０における（ａ）〜（ｄ）は隔壁の異なる具体例を示す図である。
【００５１】
本実施の形態においては、ユニット保持部３１の前面及び／又は後面にヘッドとしてのバルクヘッド（Ｂｕｌｋｈｅａｄ）、すなわち、隔壁が配設されている。図８及び９（ａ）に示される例においては、ユニット保持部３１の前面及び後面にヘッド、すなわち、隔壁としての前方板部３５及び後方板部３６が、それぞれ、配設されている。なお、図９（ａ）に示される例においては、説明の都合上、平板部３１ａ及びコード通過孔３２が省略されている。
【００５２】
前方板部３５は、外部からパッド音導孔６１及び筐体音導孔２２を通って進入した塵埃（じんあい）等の異物が、保持部内空間２５内に進入してしまうことを防止することを主たる目的とするものであって、ユニット保持部３１及びドライバユニット４１の前面を覆うように配設される。前方板部３５は、例えば、接着剤等の固着手段によって、ユニット保持部３１の前端に固着されていてもよいし、固着されていなくてもよい。なお、前方板部３５のほぼ中央には、ドライバユニット４１のユニット突出部４１ｂが通過可能な貫通孔が形成されているので、ユニット突出部４１ｂの前面に形成された放音開口は、前方板部３５よりも前方に位置し、ドライバユニット４１が発生した音が放音開口から出射される。
【００５３】
このように、ユニット保持部３１の前面に前方板部３５を配設することによって、異物の保持部内空間２５内への進入が防止され、保持部内空間２５を清浄に保つことができ、保持部内空間２５の音響空間としての機能が損なわれることを防止することができる。
【００５４】
また、後方板部３６は、電線ケーブル９１の結び目９１ａが保持部内空間２５内に進入してしまうことを防止することを主たる目的とするものであって、ユニット保持部３１及びドライバユニット４１の後面を覆うように配設される。電線ケーブル９１の結び目９１ａは、蓋筐体１４内の空間に収容されているが、何らかの手段によって保持されているものではないので、主筐体１２の内部空間２１内に移動可能となっている。そのため、例えば、衝撃等の外力がイヤホン１０に加えられた場合、ユニット保持部３１の後面が開放されていると、電線ケーブル９１の結び目９１ａが異物として保持部内空間２５内に進入する可能性がある。
【００５５】
そこで、ユニット保持部３１の後面に後方板部３６を配設することによって、電線ケーブル９１の結び目９１ａの保持部内空間２５内への進入が防止され、保持部内空間２５内の容積を一定に保つことができ、保持部内空間２５の音響空間としての機能が損なわれることを防止することができる。また、電線ケーブル９１の結び目９１ａがドライバユニット４１に当接してドライバユニット４１の発生する音の質が低下することも防止することができる。後方板部３６は、例えば、接着剤等の固着手段によって、ユニット保持部３１の後端に固着されていてもよいし、固着されていなくてもよい。
【００５６】
なお、前方板部３５及び後方板部３６は、いかなる材料から成るものであってもよく、例えば、ユニット保持部３１と同様に、アルミニウム、鋼、銅等の金属であってもよいし、プラスチック等の樹脂から成るものであってもよいし、樹脂、カーボン、金属等を複合した複合材から成るものであってもよい。また、前方板部３５及び後方板部３６の厚さは、任意に設定することができ、例えば、ユニット保持部３１の側壁と同等の厚さであってもよいし、より薄い厚さであってもよく、さらに、メンブレン（Ｍｅｍｂｒａｎｅ）又はフィルム程度の厚さとして、共振（共鳴）の機能を発揮するようにしてもよい。
【００５７】
また、前方板部３５及び後方板部３６は、ユニット保持部３１と別個に形成された部材であってもよいし、ユニット保持部３１と一体的に形成された部材であってもよい。
【００５８】
図９（ｂ）に示される例において、ユニット保持部３１は、前半部３１１及び後半部３１２とから成る。そして、前半部３１１の前端には前方板部３５が一体的に形成されており、前半部３１１の概略形状は、前方板部３５を底とするコップのような有底円筒容器状となる。また、後半部３１２の後端には後方板部３６が一体的に形成されており、後半部３１２の概略形状は、後方板部３６を底とするコップのような有底円筒容器状となる。なお、内部リブ３３は、前半部３１１のみに形成されている。そして、前半部３１１と後半部３１２とを結合することによって、前面及び後面に前方板部３５及び後方板部３６が配設されたユニット保持部３１を得ることができる。なお、その他の点については、図９（ａ）に示される例と同様であるので、その説明を省略する。
【００５９】
さらに、前方板部３５がユニット保持部３１と一体的に形成された部材であって、後方板部３６がユニット保持部３１と別個に形成された部材であってもよい。
【００６０】
図９（ｃ）に示される例において、ユニット保持部３１の前端には前方板部３５が一体的に形成されており、ユニット保持部３１の概略形状は、前方板部３５を底とするコップのような有底円筒容器状となる。また、ユニット保持部３１の後面には、後方板部３６が配設されている。なお、その他の点については、図９（ａ）に示される例と同様であるので、その説明を省略する。
【００６１】
さらに、前方板部３５がユニット保持部３１と別個に形成された部材であって、後方板部３６がユニット保持部３１と一体的に形成された部材であってもよい。
【００６２】
図９（ｄ）に示される例において、ユニット保持部３１の後端には後方板部３６が一体的に形成されており、ユニット保持部３１の概略形状は、後方板部３６を底とするコップのような有底円筒容器状となる。また、ユニット保持部３１の前面には、前方板部３５が配設されている。なお、その他の点については、図９（ａ）に示される例と同様であるので、その説明を省略する。
【００６３】
また、前方板部３５又は後方板部３６の一方を省略してもよい。ユニット保持部３１の前面又は後面に隔壁としての前方板部３５又は後方板部３６が配設されているようにしてもよい。
【００６４】
図１０（ａ）及び（ｂ）に示される例においては、後方板部３６が省略されている。そして、図１０（ａ）に示される例においては、ユニット保持部３１の前面には、前方板部３５が配設されているが、ユニット保持部３１の後面には、後方板部３６が配設されていない。また、図１０（ｂ）に示される例においては、ユニット保持部３１の前端には前方板部３５が一体的に形成されており、ユニット保持部３１の概略形状は、前方板部３５を底とするコップのような有底円筒容器状となっているが、ユニット保持部３１の後面には、後方板部３６が配設されていない。なお、その他の点については、図９（ａ）に示される例と同様であるので、その説明を省略する。
【００６５】
また、図１０（ｃ）及び（ｄ）に示される例においては、前方板部３５が省略されている。そして、図１０（ｃ）に示される例においては、ユニット保持部３１の後面には、後方板部３６が配設されているが、ユニット保持部３１の前面には、前方板部３５が配設されていない。また、図１０（ｄ）に示される例においては、ユニット保持部３１の後端には後方板部３６が一体的に形成されており、ユニット保持部３１の概略形状は、後方板部３６を底とするコップのような有底円筒容器状となっているが、ユニット保持部３１の前面には、前方板部３５が配設されていない。なお、その他の点については、図９（ａ）に示される例と同様であるので、その説明を省略する。
【００６６】
このように、本実施の形態においては、ユニット保持部３１の前面及び／又は後面に隔壁が配設されている。これにより、保持部内空間２５内に異物が進入することを確実に防止することができ、保持部内空間２５の音響空間としての機能が損なわれることを防止することができる。また、保持部内空間２５の前及び／又は後が隔壁によって画定されるので、音響空間としての保持部内空間２５の容積を一定に保持することができ、高い音質を得ることができる。
【００６７】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００６８】
図１１は本発明の第３の実施の形態におけるドライバユニットを取付けたユニット保持部の二面図である。なお、図において、（ａ）は正面図、（ｂ）は側断面図であり（ａ）におけるＣ−Ｃ矢視断面図である。
【００６９】
前記第１及び第２の実施の形態においては、ドライバユニット４１が、いわゆるバランスドアーマチュア型であって、略箱形、すなわち、略直方体状の外形を有するものである場合を例にとって説明したが、本実施の形態においては、ドライバユニット４１が、いわゆるダイナミック型であって、磁気回路を形成するマグネット、プレート及びヨークと、振動系を形成する振動板及びボイスコイルとを内部に備え、略円盤状、すなわち、高さ寸法が直径よりも短い円柱状の外形を有するものである場合を例にとって説明する。
【００７０】
図に示されるように、ユニット保持部３１は、断面が完全な円形の円筒状であり、その内面には、内方に向けて突出するような形状のユニット支持凸部として内部リブ３３が複数（図に示される例においては４つ）形成されている。そして、ユニット保持部３１の保持部内空間２５内に収容されたドライバユニット４１のユニット本体部４１ａは、前記内部リブ３３によって保持される。具体的には、該内部リブ３３の先端がユニット本体部４１ａの外面に当接した状態となる。これにより、略円筒状のユニット保持部３１の保持部内空間２５内に、略直方体状の外形を有するユニット本体部４１ａを強固に変位不能に保持することができる。また、保持部内空間２５内におけるユニット保持部３１の内側面とユニット本体部４１ａの外側面との間に、側方空間２５ａが形成される。
【００７１】
また、図に示される例において、内部リブ３３の長さ（図１１（ｂ）における左右方向の寸法）は、ユニット保持部３１の長さよりも短いが、ユニット本体部４１ａの長さよりは長くなっている。これにより、ユニット本体部４１ａの長さが短いダイナミック型のドライバユニット４１であっても、確実に保持することが可能となる。
【００７２】
なお、その他の点については、前記第１及び第２の実施の形態と同様であるので、説明を省略する。
【００７３】
また、本発明は前記実施の形態に限定されるものではなく、本発明の趣旨に基づいて種々変形させることが可能であり、それらを本発明の範囲から排除するものではない。
【産業上の利用可能性】
【００７４】
本発明は、少なくとも一部が外耳道に挿入される外耳道挿入部材を有するイヤホンに適用することができる。
【符号の説明】
【００７５】
１０    イヤホン
１１    筐体
１２    主筐体
１４、８１４    蓋筐体
１５、８１５    ケーブル保持部
１７    パッド取付部
１７ａ    係合凹部
２１    内部空間
２２    筐体音導孔
２３    保持部外空間
２５    保持部内空間
２５ａ    側方空間
２５ｂ    後方空間
３１    ユニット保持部
３１ａ    平板部
３２    コード通過孔
３３    内部リブ
３４    外部リブ
３５    前方板部
３６    後方板部
４１、８４１    ドライバユニット
４１ａ    ユニット本体部
４１ｂ    ユニット突出部
５０、８５０    イヤーパッド
５１    本体部
５２    係合凸部
５３    笠部
６１    パッド音導孔
９１、８９１    電線ケーブル
９１ａ、８９１ａ    結び目
９２、８９２    リード線
３１１    前半部
３１２    後半部
８１１    ハウジング
８１７    音導管
８１７ａ    内筒部材
８７１    第１弾性部材
８７２    第２弾性部材
【図１】
0005575556.tif 000002
【図２】
0005575556.tif 000003
【図３】
0005575556.tif 000004
【図４】
0005575556.tif 000005
【図５】
0005575556.tif 000006
【図６】
0005575556.tif 000007
【図７】
0005575556.tif 000008
【図８】
0005575556.tif 000009
【図９】
0005575556.tif 000010
【図１０】
0005575556.tif 000011
【図１１】
0005575556.tif 000012
【図１２】
0005575556.tif 000013